(57)【特許請求の範囲】
【請求項１】
バーナーと該バーナーからの熱を給水に伝える熱交換器と該熱交換器を経由した給水を出湯口側へ導く出湯管と前記熱交換器を経由した給水を浴槽に導く連絡管とを備え、バーナーを点火することなく給水を前記連絡管を通じて浴槽に注水する機能を備えた給湯器付き風呂釜において、
前記バーナーを点火することなく給水を前記浴槽に注水し終えた後、前記熱交換器内の給水が流れない状態で前記バーナーを燃焼させて前記熱交換器内の水温を目標温度まで上昇させることを特徴とする給湯器付き風呂釜。
【請求項２】
バーナーと該バーナーからの熱を給水に伝える熱交換器と該熱交換器を経由した給水を出湯口側へ導く出湯管と前記熱交換器を経由した給水を浴槽に導く連絡管とを備え、バーナーを点火することなく給水を前記連絡管を通じて浴槽に注水する機能を備えた給湯器付き風呂釜において、
前記バーナーを点火することなく給水を前記浴槽に注水し終えた後、前記熱交換器内の給水が流れない状態で前記バーナーを燃焼させて前記熱交換器内の水温を目標温度まで上昇させるとともに、この際前記バーナーによって直接的に加熱され部分的に高温になる箇所の水温が所定の上限温度を越えない範囲で前記バーナーの燃焼を複数回に分けて間欠的に行うことを特徴とする給湯器付き風呂釜。
【請求項３】
前記バーナーの１回の燃焼により、該バーナーによって直接的に加熱され部分的に高温になる箇所の水温を前記上限温度の近傍まで上昇させることを特徴とする請求項２記載の給湯器付き風呂釜。
【請求項４】
前記バーナーの１回の燃焼量を所定の少量にし、間欠的に行なう燃焼の回数を増やすことで、前記熱交換器内全体の水温を目標温度まで上昇させることを特徴とする請求項２記載の給湯器付き風呂釜。
【請求項５】
バーナーと該バーナーからの熱を給水に伝える熱交換器と該熱交換器を経由した給水を出湯口側へ導く出湯管と前記熱交換器を経由した給水を浴槽に導く連絡管とを備え、バーナーを点火することなく給水を前記連絡管を通じて浴槽に注水する機能を備えた給湯器付き風呂釜を制御する給湯器付き風呂釜制御方法において、
前記バーナーを点火することなく給水を前記浴槽に注水し終えた後、前記熱交換器内の給水が流れない状態で前記バーナーを燃焼させて前記熱交換器内の水温を目標温度まで上昇させることを特徴とする給湯器付き風呂釜制御方法。
【発明の詳細な説明】
【０００１】
【発明の属する技術分野】
本発明は、バーナーと該バーナーからの熱を給水に伝える熱交換器と該熱交換器を経由した給水を出湯口側へ導く出湯管と前記熱交換器を経由した給水を浴槽に導く連絡管とを備え、バーナーを点火することなく給水を前記連絡管を通じて浴槽に注水する機能を備えた給湯器付き風呂釜およびその制御方法に関する。
【０００２】
【従来の技術】
従来から使用されている給湯器付き風呂釜は、熱交換器を経由した給水を出湯口側へ導くほか、電磁弁等を備えた連絡管を介して浴槽に注湯することができるようになっている。また、近年、浴槽内の湯が熱いときこれをうめるため、バーナーを点火することなく連絡管を通じて給水を浴槽に注水する機能（うめる機能）を備えたものがある。
【０００３】
うめる機能によって浴槽へ加熱されない給水を注ぐと、注水動作を終えたとき熱交換器内の水温が低くなるので、うめる機能の動作後に出湯を開始したとき、比較的長い間冷たい水が出てしまい、利用者に不快感を与えてしまう。そこで、うめる機能による注水動作の終了時点で熱交換器内の水温が適度な温度に上昇するように改良の施された給湯器付き風呂釜が考案され、実開平２−５２０５０号公報に開示されている。
【０００４】
この給湯器付き風呂釜では、うめる機能による注水動作が終了する直前の一定時間だけバーナーを燃焼させ、注水終了時点で熱交換器内に所定温度の湯が残留するようになっている。
【０００５】
一方、給湯器としての快適性をより向上させるため、出湯開始直後から、設定温度に対し大幅な温度変動を起こすことなく、設定温度±３度程度の温度範囲内で出湯することのできる機能（保温機能）を備えたものが要望されている。
【０００６】
このような器具では、通常、熱交換器内の湯温を温度センサで監視し、開栓されない状態のままで数分ごとにバーナーを２秒程度燃焼させることを繰り返し行い、湯温を目標温度範囲内に保温するようになっている。
【０００７】
【発明が解決しようとする課題】
実開平２−５２０５０号公報に開示された技術では、注水の最終段階で浴槽内に暖かい湯が注がれるので、浴槽内の湯温を下げるために必要な注水量が必要以上に増加してしまう。また、最終に湯が浴槽内に出るので、入浴者に違和感を与えてしまうという問題があった。
【０００８】
一方、保温機能を備える器具では、うめる機能による注水が終了した時点での熱交換器内の水温が低いので、保温機能がオンの状態であれば、目標温度を維持するためにバーナーの燃焼が行われる。しかしながら、保温機能に基づく燃焼は、数分ごとに２秒程度しか行われないので、熱交換器内の水温を目標温度範囲に上昇させるために長い時間がかかり、その間に出湯が開始された場合には、許容範囲を下回る低温の湯が出てしまうという問題があった。また、保温機能を備えるものであっても、当該機能がオンしていなけば、注水終了後の開栓において比較的長い間冷たい水が出てしまう。
【０００９】
本発明は、このような従来の技術の有する問題点に着目してなされたもので、バーナーを燃焼させない状態で熱交換器を介して給水を浴槽へ注水する動作を終えたとき、入浴者に違和感を与えることなく、次の出湯に備えて熱交換器内の水温を短時間に適温まで上昇させることのできる給湯器付き風呂釜を提供することを目的としている。
【００１０】
【課題を解決するための手段】
かかる目的を達成するための本発明の要旨とするところは、次の各項の発明に存する。
［１］バーナー（１２）と該バーナー（１２）からの熱を給水に伝える熱交換器（１３）と該熱交換器（１３）を経由した給水を出湯口側へ導く出湯管（２１ａ）と前記熱交換器（１３）を経由した給水を浴槽（４０）に導く連絡管（３６）とを備え、バーナー（１２）を点火することなく給水を前記連絡管（３６）を通じて浴槽（４０）に注水する機能を備えた給湯器付き風呂釜（１０）において、前記バーナー（１２）を点火することなく給水を前記浴槽（４０）に注水し終えた後、前記熱交換器（１３）内の給水が流れない状態で前記バーナー（１２）を燃焼させて前記熱交換器（１３）内の水温を目標温度まで上昇させることを特徴とする給湯器付き風呂釜（１０）。
【００１１】
［２］バーナー（１２）と該バーナー（１２）からの熱を給水に伝える熱交換器（１３）と該熱交換器（１３）を経由した給水を出湯口側へ導く出湯管（２１ａ）と前記熱交換器（１３）を経由した給水を浴槽（４０）に導く連絡管（３６）とを備え、バーナー（１２）を点火することなく給水を前記連絡管（３６）を通じて浴槽（４０）に注水する機能を備えた給湯器付き風呂釜（１０）において、前記バーナー（１２）を点火することなく給水を前記浴槽（４０）に注水し終えた後、前記熱交換器（１３）内の給水が流れない状態で前記バーナー（１２）を燃焼させて前記熱交換器（１３）内の水温を目標温度まで上昇させるとともに、この際前記バーナー（１２）によって直接的に加熱され部分的に高温になる箇所の水温が所定の上限温度を越えない範囲で前記バーナー（１２）の燃焼を複数回に分けて間欠的に行うことを特徴とする給湯器付き風呂釜（１０）。
【００１２】
［３］前記バーナー（１２）の１回の燃焼により、該バーナー（１２）によって直接的に加熱され部分的に高温になる箇所の水温を前記上限温度の近傍まで上昇させることを特徴とする［２］記載の給湯器付き風呂釜（１０）。
【００１３】
［４］前記バーナー（１２）の１回の燃焼量を所定の少量にし、間欠的に行なう燃焼の回数を増やすことで、前記熱交換器（１３）内全体の水温を目標温度まで上昇させることを特徴とする［２］記載の給湯器付き風呂釜（１０）。
【００１４】
［５］バーナー（１２）と該バーナー（１２）からの熱を給水に伝える熱交換器（１３）と該熱交換器（１３）を経由した給水を出湯口側へ導く出湯管（２１ａ）と前記熱交換器（１３）を経由した給水を浴槽（４０）に導く連絡管（３６）とを備え、バーナー（１２）を点火することなく給水を前記連絡管（３６）を通じて浴槽（４０）に注水する機能を備えた給湯器付き風呂釜（１０）を制御する給湯器付き風呂釜制御方法において、
前記バーナー（１２）を点火することなく給水を前記浴槽（４０）に注水し終えた後、前記熱交換器（１３）内の給水が流れない状態で前記バーナー（１２）を燃焼させて前記熱交換器（１３）内の水温を目標温度まで上昇させることを特徴とする給湯器付き風呂釜制御方法。
【００１５】
前記本発明は次のように作用する。
給湯器付き風呂釜（１０）は、うめる機能に基づいて給水を浴槽（４０）に注水し終えたとき、熱交換器（１３）内の給水が流れない状態のままでバーナー（１２）を燃焼させ、熱交換器（１３）内の水温を目標温度まで上昇させる。
【００１６】
このように注水停止後にバーナー（１２）を燃焼させて水温を上昇させるので、浴槽（４０）内へ必要以上の注水が行われないとともに、注水動作の最後に湯が浴槽（４０）内に出ることがないので、入浴者に違和感を与えることなく、熱交換器（１３）内の水温を適温まで上昇させることができる。
【００１７】
また、注水後にバーナー（１２）を燃焼させて熱交換器（１３）内の水温を加熱するとき、当該バーナー（１２）によって直接的に加熱され部分的に高温になる箇所の水温が所定の上限温度を越えない範囲でバーナー（１２）の燃焼を複数回に分けて間欠的に行う。
【００１８】
これにより、給水の流れない状態でバーナー（１２）を燃焼させても、熱交換器（１３）内の残水が部分的に沸騰したり、出湯時に利用者をやけどさせるような高温になることを防ぐことができる。また、燃焼を間欠的に行なうことによって、燃焼を停止している間に熱交換器（１３）内における温度分布の均一化が図られる。
【００１９】
さらに、バーナー（１２）の１回の燃焼により、当該バーナー（１２）によって直接的に加熱され部分的に高温になる箇所の水温を上限温度の近傍まで一気に上昇させるものでは、熱交換器（１３）内の残水が部分的に沸騰すること等を防ぎつつ、比較的短時間に熱交換器（１３）内の水を目標温度まで上昇させることができる。その結果、うめる機能に基づく動作終了後、比較的短時間の後に出湯が開始された場合であっても、許容範囲を下回る低温の湯が出てしまうことを少なくすることができる。
【００２０】
このほか、バーナー（１２）の１回の燃焼量を所定の少量にし、間欠的に行なう燃焼の回数を増やしてもよい。１回の燃焼における加熱量を少なくすることで、各回の加熱量を精度良く制御する必要がなく、燃焼制御の簡略化を図ることができる。
【００２１】
【発明の実施の形態】
以下、図面に基づき本発明の一実施の形態を説明する。
各図は本発明の一実施の形態を示している。
本発明にかかる給湯器付き風呂釜１０は、水栓あるいは浴槽４０内へ給湯する機能と、浴槽内の湯を追い焚きする機能と、加熱されない給水を追い焚き経路３１を通じて浴槽へ注水する機能とを備えている。また、開栓後すぐに設定温度の湯が出湯されるよう、開栓されない状態でバーナーを数分おきに１〜２秒燃焼させ、熱交換器内の残水を所定の目標温度範囲に保温する保温機能を備えている。
【００２２】
図１に示すように、給湯器付き風呂釜１０は、燃焼室１１を備えており、当該燃焼室１１の下部には、バーナー１２が、燃焼室１１の上部には、バーナー１２からの熱を給水等に伝える熱交換器１３がそれぞれ配置されている。熱交換器１３には、給湯用の水を流すための給湯用パイプ２１と、追い焚き用に浴槽内の水を循環させる追い焚き用循環パイプ３１の双方が通っており、熱交換器１３はバーナー１２からの熱をこれら双方のパイプ２１、３１内の流体へ伝えて加熱する機能を備えている。
【００２３】
給湯用パイプ２１のうち熱交換器１３へ向かう部分としての給水側流路２１ａと、熱交換器１３からの出湯側流路２１ｂの間には、固定バイパス路２２と、流量制御弁２３の介挿されたバイパス路２４が接続されている。熱交換器１３で加熱された湯に、固定バイパス路２２、バイパス路２４を通じて給水を混合するとともに、バイパス比を、流量制御弁２３によって制御し得るようになっている。また、給湯用パイプ２１の出湯側流路２１ｂ側には、出湯の総流量やバイパス比を制御するための流量制御弁２５が設けられている。
【００２４】
給湯用パイプ２１の入口部および出口部の近傍にはそれぞれ、通水の有無や通水量を検知するためのフローセンサ２６ａ、２６ｂが設けられている。また、給湯用パイプ２１の入口部近傍には、給水の温度を検知するための入水サーミスタ２７が、熱交換器１３の出口部近傍には、加熱後の湯温を測定するための熱交サーミスタ２８が、さらに給湯用パイプ２１の出口部近傍には、出湯温度を検知するための出湯サーミスタ２９がそれぞれ取り付けられている。
【００２５】
追い焚き用循環パイプ３１は、浴槽４０内の水を熱交換器１３まで導く風呂戻パイプ部３１ａと、熱交換器１３で加熱後の湯を浴槽４０へ戻す風呂往パイプ部３１ｂとから構成されている。風呂戻パイプ部３１ａの途中には循環ポンプ３２と、風呂戻パイプ部３１ａ内の通水の有無を検知する風呂流水スイッチ３３が設けられている。また、風呂流水スイッチ３３の近傍には、浴槽４０側から流入する湯の温度を検知するための風呂温度サーミスタ３４が取り付けてある。
【００２６】
給湯用パイプ２１の出湯側流路２１ｂと、風呂戻パイプ部３１ａとは、注湯電磁弁３５を備えた注湯パイプ３６で接続されており、熱交換器１３で加熱された給水あるいはバーナー１２を点火させず加熱されないままの給水を、当該注湯パイプ３６を介して浴槽４０へ注ぐことができるようになっている。なお、浴槽へ注いだ湯あるいは水の量は、フローセンサ２６ａによって検知している。
【００２７】
給排気は、燃焼ファン１４によって燃焼室１１の下方側から給気を送風することによって強制的に行われ、排気は燃焼室１１の上部から排出されるようになっている。バーナー１２近傍には、図１では示していない点火装置１５が設けてある。またバーナー１２へ供給される燃焼ガスは、ガス電磁弁１６、元ガス電磁弁１７、ガス切替弁１８によってオンオフ制御される。さらにバーナー１２へ供給される燃焼ガスのガス量は、ガス比例弁１９によって調整される。
【００２８】
図２は、給湯器付き風呂釜１０の有する制御基盤の回路構成を示したものである。給湯器付き風呂釜１０の制御基盤は、各種制御の中枢的機能を果たすＣＰＵ（中央処理装置）５１を備えている。ＣＰＵ５１には、データバスやアドレスバスなど各種バス５２を介して各種の回路装置が接続されている。
【００２９】
このうち、ＲＯＭ（リード・オンリ・メモリ）５３は、ＣＰＵ５１の実行するプログラムや各種の固定的データを記憶する読み出し専用メモリである。ＲＡＭ（ランダム・アクセス・メモリ）５４は、プログラムを実行する上で、一時的に必要になるデータを記憶するための作業メモリである。バス５２には、操作部５５のほか、各種回路装置とＣＰＵ５１との間で電気信号の入出力を行うための入出力インターフェイス回路部５６が接続されている。
【００３０】
操作部５５には、出湯温度を設定するための温度設定スイッチ、風呂の自動運転を行うための自動スイッチ、および浴槽内の湯が熱いとき、追い焚き用循環パイプ３１を通じて低温の水を浴槽４０に注ぐことを指示するうめるスイッチ等が配置されている。なお、操作部５５として、台所等に設置されるメインリモコンのほか、風呂に設置されるいわゆる風呂リモコン等がある。
【００３１】
入出力インターフェイス回路部５６には、フローセンサ２６ａ、２６ｂ、各種サーミスタ２７〜２９、３４、点火装置１５、燃焼ファン１４、各種ガス制御弁１６〜１９、および流量制御弁２３、２５、注湯電磁弁３５および循環ポンプ３２を駆動するポンプ駆動回路３２ａが接続されている。このほか、必要に応じて各種制御装置が入出力インターフェイス回路部５６に接続される。
【００３２】
次に作用を説明する。
図３は、うめるスイッチが押下された際における給湯器付き風呂釜１０の行う動作の流れを示している。うめるスイッチが押下されると（ステップＳ１０１；Ｙ）、ＣＰＵ５１は、バーナー１２を燃焼させない状態の下で、注湯電磁弁３５を開き、熱交換器１３、注湯パイプ３６を経由して浴槽４０へ加熱されない給水を注水する（ステップＳ１０２）。なお、注水中は、保温機能がオンであっても当該機能に基づくバーナーの燃焼を阻止するようになっている。
【００３３】
注湯電磁弁３５を開いた後ＣＰＵ５１は、フローセンサ２６ａからの信号を基に注水量を監視し、注水量が予め定めた基準量に達したとき（ステップＳ１０３；Ｙ）、注湯電磁弁３５を閉じて、注水動作を終了させる（ステップＳ１０４）。なお、ここでは、うめるスイッチが１回押下されるごとに、予め定めた基準量の注水を行っているが、利用者から注水の指示を受けてから、注水停止の指示があるまでの間、注水することもできる。たとえば、うめるスイッチが押下されてから再び押下されるまでの間、注水するようにしてもよい。
【００３４】
注水を停止したとき、熱交換器１３内の水温は、給水の温度まで低下しているので、以後、給水の流れない状態、すなわち、出湯および風呂への注湯のない状態でバーナー１２を燃焼させ、熱交換器１３内の湯温を目標温度まで上昇させることを行っている。
【００３５】
まずＣＰＵ５１は、熱交換器１３内の残水のうち、バーナー１２によって直接的に加熱され部分的に高温になる箇所の水温が所定の上限温度に達するまでに要する燃焼量を求め（ステップＳ１０５）、当該求めた燃焼量に達するまでバーナー１２を燃焼させる（ステップＳ１０６）。
【００３６】
図４は、バーナー１２によって直接的に加熱され部分的に高温になる箇所の水温が所定の上限温度に達するまでに要する燃焼量（燃焼時間）の求め方を表している。バーナー１２の燃焼量は、予めＲＯＭ５３に記憶してある図示しない燃焼量データテーブルを参照して求める。燃焼量データテーブルには、熱交サーミスタ２８によって検知される熱交換器１３内の水温と上限温度との間の温度差および外気温度等の条件に対応付けて、バーナー１２によって直接的に加熱される部分がその温度差分だけ上昇するために要する燃焼時間が予め登録されている。ここでは、バーナー１２を全面でかつ最小ガス量で燃焼させた場合の燃焼時間が登録されている。
【００３７】
ＣＰＵ５１は、バーナー１２の燃焼を開始する前に、熱交サーミスタ２８で検知された水温や外気温度等の条件を測定する（ステップＳ２０１、Ｓ２０２）。そして、上限温度と現在の水温との温度差を求め（ステップＳ２０３）、この温度差と外気温度とを基に、燃焼量データテーブルを参照して今回の燃焼時間を求める（ステップＳ２０４）。
【００３８】
このようにして求めた時間だけバーナー１２を燃焼させた後（図３、ステップＳ１０６）、熱交換器１３内部の湯温がほぼ均一になるまで、バーナー１２を消火した状態で待機する（ステップＳ１０７）。待機すべき時間は、予め定めた十分長い一定時間であっても良いし、今回の燃焼時間に対応して待機時間を設定するようにしても良い。ここでは、燃焼時間に対応する待機時間を予め燃焼量データテーブルに登録しておき、燃焼時間を求めた際に待機時間も同時に取得するようになっている。
【００３９】
燃焼を停止させた後、待機時間が経過したとき、熱交サーミスタ２８によって熱交換器１３内部の水温を測定する（ステップＳ１０８）。そして、水温が保温すべき目標温度範囲よりも低い場合には（ステップＳ１０８；Ｎ）、ステップＳ１０５に戻り、間欠的な燃焼を再度行なう。
【００４０】
このような間欠的な燃焼を複数回繰り返すことで、熱交換器１３内全体の水温は目標温度へと次第に上昇する。そして熱交換器１３内の水温が目標温度まで上昇したとき、保温機能がオンされているか否かを調べる（ステップＳ１１０）。保温機能がオンしているときは（ステップＳ１１０；Ｙ）、保温動作モードに移行し（ステップＳ１１１）、保温機能がオフのときは処理を終了する（エンド）。
【００４１】
なお、保温動作モードでは、熱交サーミスタ２８の検知する熱交換器１３内の水温が所定の下限温度を下回ったとき、２〜３分間隔でバーナー１２を１〜２秒間燃焼させ、熱交換器１３内の湯温を目標温度範囲に維持するようになっている。当該保温機能は、操作部５５を介して逐次オンオフを指定することができるほか、午前７時から午後７時までなど予め動作時間をタイマー設定することもでき、さらに、出湯を停止した後の５分間だけ保温機能が動作するよう設定することも可能になっている。
【００４２】
図５は、注水動作終了後における熱交換器１３内の水温の上昇特性等を示したものである。図下部の矩形波８１は、バーナー１２の燃焼期間を表している。オン（波形がハイレベル）状態の間、バーナー１２が燃焼し、オフ（波形がローレベル）状態の間、バーナー１２は消火している。
【００４３】
また図上部の実線８２は、バーナー１２によって直接的に加熱される部分の温度変化の様子を、また一点破線８３は、熱交サーミスタ２８の取り付け箇所における湯温の変化を表している。ここでは、保温すべき目標温度が４６．２℃であり、部分的に高温になる箇所の上限温度は、５０℃に設定されている。
【００４４】
うめる機能に基づく注水が終了すると、熱交換器１３内を給水が流れない状態の下で時刻Ｔ１１から時刻Ｔ１２にかけてバーナー１２の燃焼が行われる。１回の燃焼時間は、部分的に高温になる箇所の温度が５０℃に上昇すると予測した時間に設定されている。
【００４５】
バーナー１２を消火した時刻Ｔ１２のわずか後には、今回の燃焼により、部分的に高温になる箇所の水温は約５０℃まで上昇している。時刻Ｔ１２から時刻Ｔ１３までは、バーナー１２の燃焼は停止され、熱交換器１３内の温度分布が均一になるのを待機する。この間に、部分的に高温になっていた箇所の水温は次第に低下し、一方、熱交サーミスタ２８で検知される箇所の水温は熱伝導と対流によって次第に上昇し、時刻Ｔ１３には両箇所の水温はほぼ一致している。
【００４６】
このとき、熱交サーミスタ２８で検出される温度は、目標温度の４６．２℃よりも低いので、再度、部分的に高温になる箇所の温度が５０℃になると予測される時間だけ燃焼を行い、徐々に熱交換器１３内全体の水温を目標温度まで上昇させる。
【００４７】
このように、目標温度に向けての加熱を、部分的に高温になる箇所の温度が上限温度を越えないように制御したので、目標温度に向けての加熱中に利用者が開栓しても、目標温度以上の熱い湯が出湯し、利用者に不快感を与えたりやけどを負わせるようなことがない。
【００４８】
また、上限温度に至るまでバーナー１２を一気に燃焼させるので、目標温度への到達時間を短縮することができる。さらに、連続燃焼等すると図５の実線８２と一点破線８３の間の温度差が大きくなり、これが熱交換器１３のひずみの原因となるが、間欠的に燃焼させることで、熱交換器１３内の温度ムラが大きくならず熱交換器１３にひずみが生じ難く、閉栓した状態で加熱してもその耐久性を低下させることがほとんどない。
【００４９】
図６は、バーナー１２の１回の燃焼量を少なくした場合の温度上昇特性を示している。図下部の矩形波９１は、バーナー１２の燃焼期間を表している。オン（波形がハイレベル）状態の間、バーナー１２が燃焼し、オフ（波形がローレベル）状態の間、バーナー１２は消火している。
【００５０】
また図上部の実線９３は、バーナー１２によって直接的に加熱される部分の温度変化の様子を、また一点破線９２は、熱交サーミスタ２８の取り付け箇所における温度変化の様子を表している。ここでは、保温すべき目標温度および上限温度は共に５０℃に設定してある。
【００５１】
１回の燃焼時間を時刻Ｔ２１から時刻Ｔ２２までの短時間にし、各回の燃焼量を少なくすることで、部分的に高温になる箇所であっても、加熱途中に上限温度まで上昇していない。
【００５２】
このように、１回の燃焼量を少なくし、部分的に高温になる箇所の温度上昇幅を各回の燃焼において小さくすれば、燃焼量データテーブル等を基にしてバーナー１２の燃焼量を各回ごとに求める必要がなくなる。すなわち、短時間の燃焼を行った後、温度が均一になるまで待機し測定した温度が目標温度に達するまでの間、短時間の燃焼を間欠的に繰り返せば良い。これにより、燃焼ごとにその燃焼量を設定変更する必要がなく、加熱の制御を簡略化することができる。
【００５３】
また、熱交換器１３内の湯温が均一になるのに必要な間隔を空けて、繰り返しバーナー１２の燃焼が行われるので、２から３分に１回、２秒程度の燃焼の行われる保温機能によって湯温を上昇させる場合に比べて、熱交換器１３内の水温を短時間のうちに目標温度まで上昇させることができる。
【００５４】
以上説明した実施の形態では、１つの熱交換器１３で追い焚きと給湯の双方を行う、いわゆる１缶２水路型の給湯器付き風呂釜１０を用いたが、給湯と追い焚きを個別の熱交換器１３で行うものであってもよい。また、実施の形態では上限温度を５０℃に設定したが、図１に示すように、熱交換器１３からの湯にバイパス路からの給水を混合して出湯する場合には、熱交換器１３内の保温温度および上限温度を、バイパス比に応じたより高い温度に設定することになる。
【００５５】
【発明の効果】
本発明にかかる給湯器付き風呂釜によれば、浴槽への注水を終えたとき熱交換器内の給水が流れない状態でバーナーを燃焼させ、熱交換器内の水温を目標温度まで上昇させるので、必要以上の注水が行われないとともに、注水動作の最後に湯が浴槽内に出ないので、入浴者に違和感を与えることなく、熱交換器内の水温を適温まで上昇させることができる。
【００５６】
またバーナーを燃焼させて熱交換器内の水温を加熱するとき、当該バーナーによって直接的に加熱され部分的に高温になる箇所の水温が所定の上限温度を越えない範囲でバーナーの燃焼を複数回に分けて間欠的に行うものでは、熱交換器内の残水が部分的に沸騰すること等を防ぎつつ、比較的短時間のうちに熱交換器内の水温を目標温度まで上昇させることができる。
【図面の簡単な説明】
【図１】本発明の一実施の形態に係る給湯器付き風呂釜を示す説明図である。
【図２】本発明の一実施の形態に係る給湯器付き風呂釜の回路構成の概要を示すブロック図である。
【図３】うめるスイッチが押下された際に本発明の一実施の形態に係る給湯器付き風呂釜の行う動作の流れを示す流れ図である。
【図４】各回の燃焼量を求める際の動作の流れを示す流れ図である。
【図５】注水動作終了後における熱交換器内の水温の上昇特性等を示す説明図である。
【図６】１回の燃焼量を少なくした場合における水温の上昇特性を示す説明図である。
【符号の説明】
１０…給湯器付き風呂釜
１２…バーナー
１３…熱交換器
２１…給湯用パイプ
２６ａ、２６ｂ…フローセンサ
２８…熱交サーミスタ
３１…追い焚き用循環パイプ
３５…注湯電磁弁
３６…注湯パイプ
４０…浴槽
【図１】
0003880138.tif 000002
【図２】
0003880138.tif 000003
【図３】
0003880138.tif 000004
【図４】
0003880138.tif 000005
【図５】
0003880138.tif 000006
【図６】
0003880138.tif 000007